(57)【要約】【課題】パネルユニットの本体パネルと回路基板との間に容易に組付けられ、その組付けの際にパネルユニット内に異物が混入するのを有効に抑止できる弾性シートを提供する。【解決手段】本発明に係る弾性シート３０は、本体部３１と、第１取手部３２Ａ及び第２取手部３２Ｂとを有する。本体部３１は、回路基板２０の表側面上に敷設されることが可能な形状を有する。第１取手部３２Ａ及び第２取手部３２Ｂは、前記本体部３１の周縁から互いに異なる方向に突出し、この弾性シート３０を指等で把持することを容易にする。【選択図】図３
2011102078.tif 000002
【特許請求の範囲】
【請求項１】
本体パネルと、この本体パネルの裏側に配置され、前記本体パネル側の面に内装部品が実装される回路基板とを備えた車両用パネルユニットに設けられ、前記内装部品の近傍で前記本体パネルと前記回路基板との間に挟み込まれるように配置される弾性シートであって、
前記回路基板の表面上に配置される形状を有する本体部と、
前記本体部の周縁から外向きに第１の突出方向に突出する第１取手部と、
前記本体部の周縁から外向きに前記第１の突出方向と異なる第２の突出方向に突出する第２取手部とを含み、
前記本体部、前記第１取手部及び前記第２取手部が弾性材料によりシート状に一体に形成されることを特徴とするパネルユニット用弾性シート。
【請求項２】
請求項１記載のパネルユニット用弾性シートにおいて、
前記第１の突出方向及び前記第２の突出方向が互いに直交する方向であることを特徴とするパネルユニット用弾性シート。
【請求項３】
請求項１または２記載のパネルユニット用弾性シートにおいて、
この弾性シートは、前記本体パネルからその裏側に突出する第１位置決め用突出部及び第２位置決め用突出部がそれぞれ嵌入可能であってその嵌入により前記パネル本体に対する前記弾性シートの相対位置を決める第１位置決め用孔及び第２位置決め用孔を有し、これら第１位置決め用孔及び第２位置決め用孔はそれぞれ、当該第１取手部及び当該第２取手部を厚み方向に貫通し、かつ当該第１位置決め用孔及び第２位置決め用孔の少なくとも一部がそれぞれ当該第１取手部及び当該第２取手部に位置するように設けられることを特徴とするパネルユニット用弾性シート。
【請求項４】
請求項３記載のパネルユニット用弾性シートにおいて、
前記第１位置決め用孔及び前記第２位置決め用孔の少なくとも一方は、その位置決め用孔に嵌入される位置決め用突出部の外径よりも大きな寸法で特定方向に延びる長孔であることを特徴とするパネルユニット用弾性シート。
【請求項５】
車両に設けられるパネルユニットであって、
本体パネルと、
この本体パネルの裏側に配置され、当該本体パネル側の面に内装部品が実装される回路基板と、
請求項１または２記載のパネルユニット用弾性シートとを備え、この弾性シートが前記内装部品の近傍で前記本体パネルと前記回路基板との間に挟み込まれることを特徴とする車両用パネルユニット。
【請求項６】
請求項５記載の車両用パネルユニットにおいて、
前記本体パネルは、前記回路基板を囲む形状を有する側壁を含み、前記弾性シートの第１取手部及び前記第２取手部はそれぞれ前記側壁からその外側にはみ出る形状を有し、前記側壁には前記第１取手部及び前記第２取手部にそれぞれ対応する位置に切欠が形成され、これらの切欠は当該切欠に対して前記本体パネルの裏側から前記前記第１取手部及び前記第２取手部がそれぞれ挿入されるのを許容するように前記本体パネルの裏側に開放される形状を有することを特徴とする車両用パネルユニット。
【請求項７】
請求項５または６記載の車両用パネルユニットにおいて、
さらに、前記弾性シートの前記第１取手部及び前記第２取手部に対応する位置で前記本体パネルからその裏側に突出する第１位置決め用突出部及び第２位置決め用突出部を含み、前記弾性シートは、前記第１位置決め用突出部及び前記第２位置決め用突出部がそれぞれ嵌入可能であってその嵌入により前記パネル本体に対する前記弾性シートの相対位置を決める第１位置決め用孔及び第２位置決め用孔を有し、これら第１位置決め用孔及び第２位置決め用孔はそれぞれ、当該第１取手部及び当該第２取手部を厚み方向に貫通し、かつ当該第１位置決め用孔及び第２位置決め用孔の少なくとも一部がそれぞれ当該第１取手部及び当該第２取手部に位置するように設けられることを特徴とする車両用パネルユニット。
【請求項８】
請求項７記載の車両用パネルユニットにおいて、
前記第１位置決め用孔及び前記第２位置決め用孔の少なくとも一方は、その位置決め用孔に嵌入される位置決め用突出部の外径よりも大きな寸法で特定方向に延びる長孔であることを特徴とする車両用パネルユニット。
【請求項９】
請求項８記載の車両用パネルユニットにおいて、
前記第１位置決め用孔は、前記第１位置決め用突出部の外径よりも大きな寸法で第１の長手方向に延びる長孔であり、前記第２位置決め用孔は、前記第２位置決め用突出部の外径よりも大きな寸法で前記第１の長手方向と直交する第２の長手方向に延びる長孔であることを特徴とする車両用パネルユニット。
【発明の詳細な説明】
【技術分野】
【０００１】
本発明は、車両用のパネルユニットに含まれる内装部品の遮光や防水を目的として当該パネルユニットに組み込まれる弾性シート及びこれを備えたパネルユニットに関するものである。
【背景技術】
【０００２】
自動車の車室内等には、スイッチの操作や各種表示を目的としてパネルユニットが配置される。このパネルユニットは、一般に、車室内等に面する本体パネルと、この本体パネルの裏側に配置される回路基板とを備え、この回路基板上に、操作を受けるスイッチや表示用の光源（例えばＬＥＤ）がといった内装部品が実装される。
【０００３】
このようなパネルユニットとして、さらに、前記回路基板上の内装部品の遮光（当該内装部品が光源である場合の当該光源からの光の拡散の防止）や防水（パネルユニット外部から浸入する水分からの保護）を目的とした弾性シートを備えたものがある。この弾性シートは、ゴム等の弾性材料によりシート状に形成され、前記回路基板の表面上に配置される。一方、前記本体パネルの裏側には前記内装部品を囲む形状の防水壁あるいは遮光壁が形成され、当該壁の端面が前記と密着することで前記内装部品を密閉し、これにより前記防水や遮光を達成する。
【０００４】
その一例として、下記特許文献１に開示される表示装置の構造を図９及び図１０に示す。この表示装置は、例えば自動車のインストゥルメントパネルとして用いられるパネルユニットであり、車室内に面する本体パネル１１０と、その裏側に配設される回路基板１１２と、この回路基板１１２をその裏側から覆うように前記本体パネル１１０に装着されるリアカバー１１４と、弾性シート１３０とを備える。
【０００５】
前記本体パネル１１０には、照明対象となる複数のインジケータレンズ１２２が組み込まれる。一方、図１０に示すように、前記回路基板１１２の表側面（本体パネル１１０側の面）上には複数の照明用光源１２４が配設される。これらの照明用光源１２４は、各インジケータレンズ１２２に対応する位置であって互いに隣接する位置にそれぞれ設けられる。
【０００６】
前記照明用光源１２４の光同士の交錯を防ぐため、前記本体パネル１０側の裏面に複数の隔離壁１２６が設けられる。前記各隔離壁１２６は、前記各インジケータレンズ１２２に対応する位置に形成され、その対応する照明用光源１２４を個別に囲む筒状をなし、前記本体パネル１１０の裏面から後方に（すなわち前記回路基板１１２側に向かって）突出する。
【０００７】
前記弾性シート１３０は、ゴム等の弾性部材により形成される。この弾性シート１３０の配設領域は、前記回路基板１２０上における各照明用光源１２４の実装位置を含み、当該弾性シート１３０は、前記各実装位置に対応する位置に、前記照明用光源１２４をそれぞれ個別に前記インジケータレンズ１２２側（表側）に露出させるための貫通孔１３２を有する。
【０００８】
前記各隔離壁１２６の突出寸法（軸方向寸法）は、前記本体パネル１１０に前記回路基板１１２及びリアカバー１１４が組み付けられた状態で前記弾性シート１３０の弾性変形を伴いながら当該弾性シート１３０に前記各隔離壁１２６の先端面がその全周にわたって密着するように、設定される。この密着は、前記各照明用光源１２４を個別に隔離し、互いに隣接する照明用光源１２４間での照明光の交錯を防ぐとともに、ユニット外部から浸入した水が前記照明用光源１２４に至るのを阻止する。
【先行技術文献】
【特許文献】
【０００９】
【特許文献１】特開２００８−３０９９５４号公報
【発明の概要】
【発明が解決しようとする課題】
【００１０】
前記図９及び図１０に示される表示装置（パネルユニット）では、弾性シート１３０の組付け作業が難しいという不都合がある。具体的に、前記表示装置の組立て作業は、一般には、前記本体パネル１１０の裏側部分に弾性シート１３０を固定することと、その位置決め後に当該弾性シート１３０の裏側から回路基板１１２さらにはリアカバー１１４を組付けることとを含み、そのうち前記弾性シート１３０の固定は、例えば前記本体パネル１１０の裏面に形成された保持用突起を前記弾性シート１３０に設けられた被保持用穴に嵌め込むことによって行われるが、当該弾性シート１３０は柔らかくて形状が安定しておらず、かつ、本体パネル１１０の裏面に対して滑りにくい性質をもつため、この弾性シート１３０を例えば指で把持しながら本体パネル１１０の裏面上の適所に位置決めすることは難しい。
【００１１】
また、当該指による把持に伴って弾性シート１３０にごみ等の異物が付着すると、この異物が弾性シート１３０と本体パネル１１０または回路基板１１２との間に介在することで当該弾性シート１３０の密着性を低下させるおそれがある。
【００１２】
本発明は、このような事情に鑑み、パネルユニットを構成する本体パネルと回路基板との間に容易に組付けられることができ、かつ、その組付けの際にパネルユニット内に異物が混入するのを有効に抑止することが可能な弾性シート、及びこれを備えたパネルユニットを提供することを目的とする。
【課題を解決するための手段】
【００１３】
前記課題を解決するための手段として、本発明は、本体パネルと、この本体パネルの裏側に配置され、前記本体パネル側の面に内装部品が実装される回路基板とを備えた車両用パネルユニットに設けられ、前記内装部品の近傍で前記本体パネルと前記回路基板との間に挟み込まれるように配置される弾性シートであって、前記回路基板の表面上に配置される形状を有する本体部と、前記本体部の周縁から外向きに第１の突出方向に突出する第１取手部と、前記本体部の周縁から外向きに前記第１の突出方向と異なる第２の突出方向に突出する第２取手部とを含み、前記本体部、前記第１取手部及び前記第２取手部が弾性材料によりシート状に一体に形成されるものである。
【００１４】
また本発明は、車両に設けられるパネルユニットであって、本体パネルと、この本体パネルの裏側に配置され、当該本体パネル側の面に内装部品が実装される回路基板と、前記弾性シートとを備え、この弾性シートが前記内装部品の近傍で前記本体パネルと前記回路基板との間に挟み込まれるものである。
【００１５】
前記弾性シート及びこれを備えたパネルユニットによれば、作業者は、当該弾性シートの本体部から互いに異なる方向に突出する第１取手部及び第２取手部をそれぞれ左右の手指で把持しながら当該弾性シートの本体部を回路基板に対応する適当な位置に容易に位置決めすることができる。また、当該第１取手部及び当該第２取手部の位置及び突出方向の相違は、弾性シートを表側から見た形状と裏側から見た形状との相違を顕著にし、これにより当該弾性シートの表裏の区別を容易にする。
【００１６】
特に、前記第１取手部の突出方向である第１の突出方向と前記第２取手部の突出方向である第２の突出方向が互いに直交していれば、これら取手部の把持による弾性シートの保持の状態をより安定させることができ、全体をより安定した状態で保持することが可能であり、また、弾性シートの表裏の区別もさらに容易となる。
【００１７】
前記弾性シートは、前記本体パネルからその裏側に突出する第１位置決め用突出部及び第２位置決め用突出部がそれぞれ嵌入可能であってその嵌入により前記パネル本体に対する前記弾性シートの相対位置を決める第１位置決め用孔及び第２位置決め用孔を有し、これら第１位置決め用孔及び第２位置決め用孔はそれぞれ、当該第１取手部及び当該第２取手部を厚み方向に貫通し、かつ当該第１位置決め用孔及び第２位置決め用孔の少なくとも一部がそれぞれ当該第１取手部及び当該第２取手部に位置するように設けられることが、より好ましい。これらの第１位置決め用孔及び第２位置決め用孔がそれぞれ第１取手部及び第２取手部（つまり指等で把持される部分）に形成されることは、当該位置決め用孔にそれぞれ本体パネル側の位置決め用突出部を嵌入する作業を容易にし、この嵌入がパネル本体に対する弾性シートの位置決めを容易にかつ確実にする。
【００１８】
特に、前記第１位置決め用孔及び前記第２位置決め用孔の少なくとも一方が、その位置決め用孔に嵌入される位置決め用突出部の外径よりも大きな寸法で特定方向に延びる長孔である場合、双方の位置決め用孔への位置決め用突出部の嵌め込みが容易となる。具体的には、まず長孔である一方の位置決め用孔にこれと対応する位置決め用突出部を嵌め込むことで一方向についての位置決めが行われた後、当該長孔内で当該位置決め用突出部を相対的にスライドさせながら他方の位置決め用孔に他方の位置決め用突出部を嵌め込むことが行われればよい。
【００１９】
さらに、前記車両用パネルユニットにおいて、前記第１位置決め用孔が、前記第１位置決め用突出部の外径よりも大きな寸法で第１の長手方向に延びる長孔であり、前記第２位置決め用孔が、前記第２位置決め用突出部の外径よりも大きな寸法で前記第１の長手方向と直交する第２の長手方向に延びる長孔であれば、いずれの位置決め用孔から位置決め用突出部の嵌め込みを始めても、双方への位置決め用孔への位置決め用突出部の嵌め込みが容易に行われる。
【００２０】
また、本発明に係る車両用パネルユニットは、好ましくは、前記本体パネルが前記回路基板を囲む形状を有する側壁を含み、前記弾性シートの第１取手部及び前記第２取手部はそれぞれ前記側壁からその外側にはみ出る形状を有し、前記側壁には前記第１取手部及び前記第２取手部にそれぞれ対応する位置に切欠が形成され、これらの切欠は当該切欠に対して前記本体パネルの裏側から前記前記第１取手部及び前記第２取手部がそれぞれ挿入されるのを許容するように前記本体パネルの裏側に開放される形状を有するのが、よい。
【００２１】
このパネルユニットでは、前記側壁が前記回路基板を外側から有効に保護する一方、前記弾性シートの第１取手部及び第２取手部が指等で把持されたまま前記側壁側の切欠に挿入されながらパネル本体に弾性シートが組付けられることができる。つまり、前記側壁に形成される切欠は、この切欠内への前記各取手部の挿入を許容することにより、当該取手部を把持する指等と前記側壁との干渉を回避しながら弾性シートを本体パネルの裏側部分に位置決めする作業を可能にする。
【発明の効果】
【００２２】
以上のように、本発明は、パネルユニットを構成する本体パネルと回路基板との間に容易に組付けられることができ、かつ、その組付けの際にパネルユニット内に異物が混入するのを有効に抑止することが可能な弾性シート、及びこれを備えたパネルユニットを提供することができる。
【図面の簡単な説明】
【００２３】
【図１】本発明の第１の実施の形態に係るパネルユニットにおいて本体パネルとこれに組み付けられる前の弾性シートとを裏側から見た斜視図である。
【図２】前記パネルユニットにおいて前記本体パネルに前記弾性シートが組み付けられた状態を示す背面図である。
【図３】前記パネルユニットにおいて前記弾性シートが組み付けられた前記本体パネルとこれに組み付けられる前の回路基板とを当該本体パネルの裏側から見た斜視図である。
【図４】前記弾性シートが前記回路基板と前記本体パネルに形成された隔離壁の端面との間に挟み込まれた状態を示す断面図である。
【図５】前記回路基板が組み付けられた状態の前記本体パネルと、これに組み付けられる前のリアカバーとを裏側から見た斜視図である。
【図６】取手部を有しない弾性シートを備えたパネルユニットの例を示す背面図である。
【図７】本発明の第２の実施の形態に係るパネルユニットにおいて本体パネルとこれに組み付けられる前の弾性シートとを裏側から見た斜視図である。
【図８】図７の本体パネルに回路基板が組み付けられたものと、これに組み付けられる前のリアカバーとを裏側から見た斜視図である。
【図９】従来のパネルユニットを示す分解斜視図である。
【図１０】図９に示されるパネルユニットの要部を示す断面側面図である。
【発明を実施するための形態】
【００２４】
本発明の第１の実施の形態を図１〜図５を参照しながら説明する。
【００２５】
この実施の形態に係るパネルユニットは、例えば自動車のインストゥルメントパネルの一部を構成するもので、図１及び図２に示される本体パネル１０および弾性シート３０と、図３に示される回路基板２０と、図５に示されるリアカバー４０とを備える。
【００２６】
前記本体パネル１０は、アウターパネル１０Ａと、このアウターパネル１０Ａの裏側に配置されるインナーパネル１０Ｂとで構成される。前記アウターパネル１０Ａは、車室内に面する本体壁１１と、この本体壁の周縁部の裏面から全周に亘って裏側に突出する側壁１２とを一体に有する。前記インナーパネル１０Ｂは、前記アウターパネル１０Ａに対してその側壁１２で囲まれた空間内に裏側から組み付けられ、固定用ねじ１３等を用いて当該アウターパネル１０Ａに固定される。
【００２７】
なお、本発明に係る「本体パネル」は、この実施の形態に係る本体パネル１０のようにアウターパネル１０Ａとインナーパネル１０Ｂとに分割されたものに限定されず、例えば全体が単一の部材からなるものでもよい。
【００２８】
図３に示される前記回路基板２０は、前記本体パネル１０の裏側に配置されるもので、この回路基板２０の表側面（すなわち本体パネル１０側の面）上には、回転操作を受けるダイヤル２２と、複数の押圧スイッチ２４及び複数の照明用光源（例えばＬＥＤ）２６とが実装される。これに対し、前記本体パネル１０側には、図３に示すように前記ダイヤル２２に対応した形状の貫通孔１４と、図４に示すように前記押圧スイッチ２４を押圧操作するための図略の複数のノブと、前記各照明用光源２６により裏側から照明される図略の複数の被照明体（例えばインジケータレンズ）とが組み付けられる。
【００２９】
さらに、前記インナーパネル１０Ｂは、前記照明用光源２６のうちの特定の照明用光源２６にそれぞれ対応する位置に包囲壁１６を有する。これらの包囲壁１６は、前記インナーパネル１０Ｂの本体部分から裏側に突出し、対応する照明用光源２６を個別に包囲する筒状をなす。
【００３０】
前記弾性シート３０は、ゴム等の弾性部材により全体が比較的薄肉のシート状に形成されたもので、前記インナーパネル１０Ｂの包囲壁１６と前記回路基板２０の表側面（インナーパネル１０Ｂ側の面）との間に挟み込まれることにより、当該包囲壁１６と協働して特定の照明用光源２６についての遮光（当該照明用光源２６から発せられる光の外部への漏れの阻止）を行う。
【００３１】
この弾性シート３０は、前記各押圧スイッチ２４との干渉を回避するための複数の貫通孔３４や切欠３５を有するとともに、各照明用光源２６の貫通を許容して当該照明用光源２６を本体パネル１０側の被照明体へ露出させる複数の貫通孔３６を有する。そして、図４に示されるように、この弾性シート３０が前記回路基板２０の表面上に敷設された状態で当該弾性シート３０の適所（特定の照明用光源２６が挿通される貫通孔３６の周縁部）に前記包囲壁１６の端面１６ａが密着することにより、この包囲壁１６の内側に対象たる照明用光源２６が密閉され、この照明用光源２６から発せられた光が回路基板２０の表面に沿って外方へ漏れ出ることが阻止される。
【００３２】
この弾性シート３０は、複数の被保持用孔３８を有する。これらの被保持用孔３８は、弾性シート３０の適所に設けられ、当該弾性シート３０をその厚み方向に貫通する。これに対し、前記インナーパネル１０Ｂにおいて前記各被保持用孔３８に対応する位置には、当該被保持用孔３８に対して隙間なく嵌入可能な大径をもつ保持用突起１８が設けられ、その嵌入によって前記弾性シート３０が正規の位置（当該弾性シート３０の貫通孔３４，３５，３６がそれぞれ前記ダイヤル２２，前記押圧スイッチ２４、及び前記照明用光源２６にそれぞれ合致する位置）に保持される。
【００３３】
この実施の形態に係る弾性シート３０は、前記の遮光機能を担保しながら、前記本体パネル１０への弾性シート３０の組付け作業（すなわち前記被保持用孔３８と各保持用突起１８との嵌合作業）を容易にするための形状を有する。具体的に、この弾性シート３０は、前記回路基板２０の表面上に敷設されることが可能な形状（この実施の形態では回路基板２０よりも一回り小さい形状）の本体部３１と、この本体部３１から第１の突出方向（この実施の形態では裏側からみて水平方向右向き）に突出する第１取手部３２Ａと、前記本体部３１から前記第１の突出方向と異なる第２の突出方向（この実施の形態では第１の突出方向と直交する方向である垂直方向上向き）に突出する第２取手部３２Ｂとを一体に有する。
【００３４】
各取手部３２Ａ，３２Ｂの突出量は、これらの取手部３２Ａ，３２Ｂがそれぞれ前記回路基板２０の周縁からはみ出す程度まで大きい寸法に設定される。特にこの実施の形態では、前記各取手部３２Ａ，３２Ｂがさらに前記アウターパネル１０Ａの側壁１２から外側にはみ出すだけの寸法に設定されている。その一方、当該側壁１２には裏側に開放されて当該裏側からの前記各取手部３２Ａ，３２Ｂの挿入を許容する切欠１２ａ，１２ｂがそれぞれ形成される。
【００３５】
さらに、このパネルユニットでは、前記本体パネル１０に対する弾性シート３０の位置決めを容易にするための手段が設けられる。具体的には、前記第１取手部３２Ａの適所に第１の長手方向（この実施の形態では垂直方向）に延びる長孔である第１の位置決め用孔３９Ａが当該第１取手部３２Ａをその厚み方向に貫通するように形成され、前記第２取手部３２Ｂの適所に前記第１の長手方向と直交する第２の長手方向（この実施の形態では水平方向）に延びる長孔である第２の位置決め用孔３９Ｂが当該第２取手部３２Ｂをその厚み方向に貫通するように形成される。
【００３６】
一方、前記本体パネル１０のインナーパネル１０Ｂの裏面からはその裏側に第１の位置決め用突出部１９Ａ及び第２の位置決め用突出部１９Ｂが突出する。第１の位置決め用突出部１９Ａは、この実施の形態では、前記第１の位置決め用孔３９Ａの幅寸法と略同等の直径をもつ丸軸状に形成される。そして、前記弾性シート３０が前記本体パネル１０に対して前記の正規の位置にある状態で当該第１の位置決め用突出部１９Ａが当該第１の位置決め用孔３９Ａの長手方向の略中央の部位を貫通するように、当該第１の位置決め用突出部１９Ａ及び当該第１の位置決め用孔３９Ａの位置が設定される。同様に、第２の位置決め用突出部１９Ｂは、この実施の形態では、前記第２の位置決め用孔３９Ｂの幅寸法と略同等の直径をもつ丸軸状に形成され、前記弾性シート３０が前記本体パネル１０に対して前記の正規の位置にある状態で当該第２の位置決め用突出部１９Ｂが当該第２の位置決め用孔３９Ｂの長手方向略中央の部位を貫通するように、当該第２の位置決め用突出部１９Ｂ及び当該第２の位置決め用孔３９Ｂの位置が設定される。
【００３７】
この実施の形態に係る位置決め用突出部１９Ａ，１９Ｂは、インナーパネル１０Ｂに対する回路基板２０の相対位置を決めるための回路基板位置決め手段を兼ねる。具体的には、前記回路基板２０の周縁部の適所に図３に示すような切欠２９Ａ，２９Ｂが形成され、これらの切欠２９Ａ，２９Ｂに前記各位置決め用突出部１９Ａ，１９Ｂが嵌り込むことにより、回路基板２０が前記の正規の位置に係止される。また、この実施の形態では、前記位置決め用突出部１９Ａ，１９Ｂとは別に回路基板専用の位置決め用突出部１７がインナーパネル１０Ｂの適所に設けられ、これに係合可能な切欠２７が前記回路基板２０の周縁部に形成される。
【００３８】
この実施の形態の弾性シート３０には、その裏面（回路基板２０側の面）に対してのみ、表裏識別用のマーク３７が付される。このマーク３７は、弾性シート３０の表面（おもてめん）にのみ付されてもよい。あるいは表裏両面に互いに異なるマークが付されてもよい。
【００３９】
前記リアカバー４０は、前記本体パネル１０の裏側部分に前記弾性シート３０及び前記回路基板２０が組み付けられた状態で、これらを裏側から覆うように本体パネル１０に取付けられ、これにより前記弾性シート３０及び前記回路基板２０を表裏両側から挟持する。このリアカバー４０の固定は、この実施の形態では図５に示すような複数の固定用ねじ４２により行われる。これらの固定用ねじ４２は、前記リアカバー４０、前記回路基板２０、及び前記弾性シート３０にそれぞれ設けられた貫通孔に挿通され、インナーパネル１０Ｂ側に形成された図略のねじ孔にねじ込まれることにより、前記リアカバー４０を前記インナーパネル１０Ｂに締結する。
【００４０】
次に、このパネルユニットの組立要領を説明する。
【００４１】
まず、本体パネル１０のアウターパネル１０Ａとインナーパネル１０Ｂとが合体した状態で、その裏側部分に弾性シート３０が組み付けられる（図１）。この組付け作業は、次の手順により容易に行われ得る。
【００４２】
１）作業者がその左右の手の指等でそれぞれ弾性シート３０の第１取手部３２Ａおよび第２取手部３２Ｂを把持するようにして、当該弾性シート３０を保持する。これら取手部３２Ａ，３２Ｂは本体部３１からその外側に突出した部分であるので、仮に当該取手部３２Ａ，３２Ｂにこれを把持する手指等に付着した異物（ごみや油分）が付着しても、当該異物が弾性シート３０の機能を阻害することがない。また、作業者は、本体部３１から互いに異なる方向（より好ましくは互いに直交する方向）に突出する取手部３２Ａ，３２Ｂをそれぞれ把持することで、弾性シート３０が柔らかくて形状が不安定であるにもかかわらずこれを安定して保持することが可能である。さらに、これら取手部３２Ａ，３２Ｂの位置及び突出方向から、弾性シート３０の表裏の判別を一目で行うことができる。この判別は、前記マーク３７の存在によりさらに確実かつ容易となる。
【００４３】
２）弾性シート３０の位置決め用孔３９Ａ，３９Ｂのうちの一方に、これに対応する位置決め用突出部が挿通される。これにより、本体パネル１０に対する弾性シート３０の特定方向（位置決め用孔の長手方向と直交する方向）の位置決めがなされる。例えば、水平方向に延びる第１の位置決め用孔３９Ａに第１の位置決め用突出部１９Ａが挿通されることにより、垂直方向についての弾性シート３０の位置決めがなされる。
【００４４】
３）前記のように位置決め用孔に挿通された位置決め用突出部をその位置決め用孔の長手方向に相対的にスライドさせるようにして、他方の位置決め用突出部が他方の位置決め用孔に挿通される。これにより、全方向についての弾性シート３０の位置決めが完了する。例えば、最初に第１の位置決め用孔３９Ａに第１の位置決め用突出部１９Ａが挿通された場合、この第１の位置決め用突出部１９Ａを第１の位置決め用孔３９Ａに対してその長手方向に相対的にスライドさせるようにしながら第２の位置決め用突出部１９Ｂが第２の位置決め用孔３９Ｂに挿通されればよく、これにより、水平方向及び垂直方向の両方向についての弾性シート３０の位置決めが完了する。
【００４５】
この弾性シート３０に設けられる位置決め用孔３９Ａ，３９Ｂは取手部３２Ａ，３２Ｂにそれぞれ設けられていて、指等により把持される部位と近いので、当該位置決め用孔３９Ａ，３９Ｂに位置決め用突出部１９Ａ，１９Ｂを挿通する作業は容易である。なお、本発明では前記位置決め用孔３９Ａ，３９Ｂ全体がそれぞれ取手部３２Ａ，３２Ｂの領域内に含まれているものに限られない。当該位置決め用孔３９Ａ，３９Ｂの一部のみがそれぞれ取手部３２Ａ，３２Ｂに位置する場合でも、当該位置決め用孔３９Ａ，３９Ｂと指等で把持される部分との距離を縮めて前記挿通作業を容易にすることが可能である。
【００４６】
この位置決め作業については、第２の位置決め用孔３９Ｂへの第２の位置決め用突出部１９Ｂの挿通が先に行われてもよい。また、両位置決め用孔３９Ａ，３９Ｂのうちの一方は長孔でなくて例えば位置決め用突出部と同形状の丸孔でもよく、この場合には、両位置決め用孔３９Ａ，３９Ｂのうち長孔である位置決め用孔について先に位置決め用突出部の挿通作業が行われればよい。また、位置決め用突出部の形状も丸軸状に限られず、対応する位置決め用孔に挿通可能な最大外径を有するものであればよい。例えば、対応する位置決め用孔の長手方向と平行な方向に延び、かつ、その長手方向について当該位置決め用孔よりも短い偏平な断面形状を有するものであってもよい。
【００４７】
４）前記のように位置決めされた弾性シート３０がその位置で本体パネル１０の表側にスライド操作（挿入操作）される。これにより当該弾性シート３０の各被保持用孔３８にインナーパネル１０Ｂの各保持用突起１８が嵌り込んで当該弾性シート３０を保持する状態となる。このとき、各取手部３２Ａ，３２Ｂは側壁１２の各切欠１９Ａ，１９Ｂに挿入されるので、当該側壁１２の存在にかかわらず、当該側壁１２と指等の干渉を避けながら弾性シート３０の取手部３２Ａ，３２Ｂをそれぞれ把持したまま本体部３１を当該側壁１２の内側の領域に容易に挿入することが可能である。
【００４８】
ここで、例えば図６に示される比較例のように前記弾性シート３０に前記取手部３２Ａ，３２Ｂが形成されていない場合、作業者は当該弾性シート３０の周縁のきわめて限られた部分のみしか把持することができず、当該弾性シート３０を安定して保持することは困難である。さらに、この弾性シート３０を側壁１２の内側に挿入する際には当該側壁１２と指とが干渉するため、当該挿入自体が難しく、仮に挿入できたとしても、当該弾性シート３０の各被保持用孔３８にインナーパネル１０Ｂの各保持用突起１８を嵌め込む作業は容易でない。また、指等で把持した部分に異物などが付着すると、この異物が当該弾性シート３０と回路基板２０との間に介在して両者の密着性を低下させるおそれもある。
【００４９】
これらの不都合は、前記取手部３２Ａ，３２Ｂの存在により上述のように一挙に解消される。
【００５０】
このようにして弾性シート３０がセットされた後は、同じく側壁１２の内側に図３に示される回路基板２０がセットされ、さらにこれを裏側から覆うようにして図５に示されるリアカバー４０が本体パネル１０に装着されることにより、パネルユニットの組立が完了する。この実施の形態では、図５に示されるように、前記回路基板２０のセットに加え、これと並ぶ位置に別の回路基板２０Ａ，２０Ｂがそれぞれ側壁１２の内側でセットされ、隣接する回路基板同士がそれぞれ配線材２８Ａ，２８Ｂを介して接続される。そして、これらの回路基板２０，２０Ａ，２０Ｂを全て裏側から覆うようにリアカバー４０が本体パネル１０に装着される。
【００５１】
前記リアカバー４０の装着に伴い、図４に示すように、前記弾性シート３０の本体部３１の適所（特定の照明用光源２６が嵌り込む貫通孔３６の周縁箇所）が回路基板２０の表面とインナーパネル１０Ｂ側の包囲壁１６の端面１６ａとの間に挟みこまれる。すなわち、当該端面１６ａが弾性シート３０の表側面に圧接する。これにより特定の照明用光源２６が前記包囲壁１６の内側に密閉されて、当該照明用光源２６から外方に光が漏れることが阻止される。
【００５２】
なお、本発明に係る弾性シート３０の目的は、前記の遮光に限られない。例えば特定の内装部品を密閉して外部からの水の浸入を阻止する防水を目的としたものでもよい。あるいは、当該弾性シート３０の一部が厚み方向に変位するラバースイッチを構成するものであってもよい。また、本体パネルが弾性シート３０と圧接する部分は、図示のように内装部品である照明用光源２６を包囲する包囲壁１６に限らず、例えば照明用光源に対して特定の方向（遮光を必要とする）に隣接する箇所にのみ圧接する単純な板状の壁であってもよい。
【００５３】
本発明に係る弾性シート３０は、少なくとも第１取手部及びこれと異なる方向に突出する第２取手部を含むものであればよく、これに加えて第３、第４の取手部を含むものが除外される趣旨ではない。また、位置決め用孔３９Ａ，３９Ｂは適宜省略が可能であり、これらが省略された場合であっても、取手部３２Ａ，３２Ｂは弾性シート３０を容易に本体パネル１０に組付けることを援助する。
【００５４】
また、図５に示されるように弾性シート３０の取手部３２Ａ，３２Ｂを側壁１２の切欠１２ａ，１２ｂを通じてその外側に突出させるのに代え、例えば第２の実施の形態として図７及び図８に示すように、当該取手部３２Ａ，３２Ｂを側壁１２の内側に格納するようにしてもよい。その場合、図７に示されるように側壁１２の適所に他の部分よりも外方に膨出して前記各取手部３２Ａ，３２Ｂを受け入れる取手格納部１２ｃ，１２ｄが形成されれば、側壁１２全体を大型化することなく前記各取手部３２Ａ，３２Ｂを側壁１２の内側に収めることが可能である。この場合、リアカバー４０には、例えば、前記各取手格納部１２ｃ，１２ｄを裏側から塞ぐ突出部４４Ａ，４４Ｂが形成されればよい。
【符号の説明】
【００５５】
１０  本体パネル
１０Ａ  アウターパネル
１０Ｂ  インナーパネル
１１  本体壁
１２  側壁
１２ａ，１２ｂ  切欠
１６  包囲壁
１９Ａ  第１の位置決め用突出部
１９Ｂ  第２の位置決め用突出部
２０  回路基板
２６  照明用光源（内装部品）
３０  弾性シート
３１  本体部
３２Ａ  第１取手部
３２Ｂ  第２取手部
３９Ａ  第１の位置決め用孔
３９Ｂ  第２の位置決め用孔 
【図１】
2011102078.tif 000003
【図２】
2011102078.tif 000004
【図３】
2011102078.tif 000005
【図４】
2011102078.tif 000006
【図５】
2011102078.tif 000007
【図６】
2011102078.tif 000008
【図７】
2011102078.tif 000009
【図８】
2011102078.tif 000010
【図９】
2011102078.tif 000011
【図１０】
2011102078.tif 000012